(57)【要約】【課題】部品点数を増加させることなく、外部記憶装置の筐体と格納部とを安定的に電気接続する緩衝部材の提供。【解決手段】緩衝部材５はハードディスク装置２と格納部１ａに対し導電接続層７が接触しているため、ハードディスク装置２に帯電する静電気や電磁波ノイズを導電接続層７を通して格納部１ａ又は格納部１ａと導通するノートＰＣ１の筐体へ逃がすことができる。よってハードディスク装置２の誤動作を防ぐことができ、ノートＰＣ１を正確に操作できるようになる。またハードディスク装置２と格納部１ａを導通接続する別途の導電部材を必要とせず、部品点数の増加を回避することができる。よってハードディスク装置２を格納部１ａへ簡単に組み込むことができる。【選択図】図３
2008027562.tif 000002
【特許請求の範囲】
【請求項１】
情報処理装置の格納部に内蔵される箱状の外部記憶装置を弾性支持する緩衝部材において、
緩衝部材本体の表面に外部記憶装置の導電部と格納部の導電部とに接触して電気的に接続する導電接続層を設けることを特徴とする緩衝部材。
【請求項２】
緩衝部材本体が、外部記憶装置の上面側、側面側及び底面側を各々弾性支持する上面支持部、側面支持部及び底面支持部を有する断面コ字形状である請求項１記載の緩衝部材。
【請求項３】
緩衝部材本体の上面支持部、側面支持部又は底面支持部の少なくとも何れか一つに、肉厚を貫通する透孔を形成する請求項１又は請求項２記載の緩衝部材。
【請求項４】
透孔の孔縁を面取り形状に形成してある請求項３記載の緩衝部材。
【請求項５】
緩衝部材本体が箱状の外部記憶装置の角部に対して当接係止する断面Ｌ字形状である請求項１記載の緩衝部材。
【請求項６】
緩衝部材本体の角部を面取り形状に形成してある請求項１〜請求項５何れか１項記載の緩衝部材。
【請求項７】
導電接続層が緩衝部材本体の変形に追従する塗層である請求項１〜請求項６何れか１項記載の緩衝部材。
【発明の詳細な説明】
【技術分野】
【０００１】
本発明は、例えばノートブックタイプのパーソナルコンピュータ、カーオーディオ装置、カーナビゲーション装置、携帯オーディオプレーヤ、デジタルビデオカメラのような情報処理装置に収容するハードディスク装置などの外部記憶装置を衝撃や振動から保護する緩衝部材に関する。
【背景技術】
【０００２】
情報処理装置としてのノートブックタイプのパーソナルコンピュータ（以下、「ノートＰＣ」と略記する。）１の格納部１ａには、図９で示すように、ディスク状記憶媒体を収容する外部記憶装置としてのハードディスク装置２が格納されている。このハードディスク装置２は、上面３ａと底面３ｂを略矩形とした箱状の筐体３を備えており、筐体３の長手側面３ｃには軟質のゴム状弾性体でなる緩衝部材４が装着されている（特許文献１）。
【０００３】
この緩衝部材４は、図１０で示すように、ハードディスク装置２の筐体３の長手側面３ｃを保護する側面支持部４ａが形成されており、この側面支持部４ａの上端及び下端は、筐体３の上面３ａや底面３ｂの面端よりも上方と下方にそれぞれ突出している。また緩衝部材４には、長手側面３ｃと上面３ａとの角部分を覆うように側面支持部４ａから片持ち梁状に突出する上面支持部４ｂが形成され、長手側面３ｃと底面３ｂとの角部分を覆うように側面支持部４ａから片持ち梁状に突出する底面支持部４ｃとが形成されている。
【０００４】
ところで、このような情報処理装置は動作周波数が高くなるに従い、電磁波ノイズや静電気の帯電によって誤動作が生じる問題がある。そこでノートＰＣの格納部にハードディスク装置の筐体と接触する導電性の接触片を設ける技術が知られている（例えば特許文献２参照）。また発泡樹脂でなる芯材の表面に網状導電体を設けた導電部材（導電用ガスケット）を、格納部とハードディスク装置の間に取付けて、両者を電気的に接続する技術が知られている（例えば特許文献３参照）。
【特許文献１】特開２００５−３８５３８号公報
【特許文献２】特開２００１−１３０６４３号公報
【特許文献３】特開２００５−２２２５８３号公報
【発明の開示】
【発明が解決しようとする課題】
【０００５】
しかしながら、前述の導電性の接触片を設ける技術では振動や衝撃を受けたときに格納部の接触片とハードディスク装置の筐体とが離間してしまい、電気的な接続が不安定になるという課題がある。また前述の導電部材を取付ける技術では部品点数が増加してハードディスク装置の格納部への組み込みが複雑になるという課題がある。
【０００６】
以上のような従来技術を背景としてなされたのが本発明である。すなわち、本発明の目的は、部品点数を増加させることなく、ハードディスク装置などの外部記憶装置の筐体と格納部とを安定的に電気接続する緩衝部材を提供することにある。
【課題を解決するための手段】
【０００７】
上記目的を達成すべく本発明は以下のように構成される。
【０００８】
すなわち、本発明は、情報処理装置の格納部に内蔵される箱状の外部記憶装置を弾性支持する緩衝部材について、緩衝部材本体の表面に外部記憶装置の導電部と格納部の導電部とに接触して電気的に接続する導電接続層を設けることを特徴とする緩衝部材を提供する。
【０００９】
本発明では、外部記憶装置の導電部と格納部の導電部とに接触する導電接続層を設けるため、外部記憶装置に帯電する静電気や電磁波ノイズを導電接続層を通して格納部又は格納部と導通する情報処理装置の筐体へ逃がすことができる。よって外部記憶装置の誤動作を防ぐことができる。
【００１０】
また導電接続層は緩衝部材本体の表面に設けてあるため、別途導電部材を必要とせず、部品点数の増加を防止することができる。よって外部記憶装置を格納部へ簡単に組み込むことができる。
【００１１】
緩衝部材は格納部の内部で外部記憶装置を弾性支持していることから、振動や衝撃を受けて外部記憶装置が格納部内で変位しても、緩衝部材は格納部と外部記憶装置の両者に接触している。このため緩衝部材本体の表面に設けてある導電接続層は、常に格納部の導電部と外部記憶装置の導電部とに電気的に接続することができる。よって振動や衝撃を受けたときも安定的に電気接続することができる。
【００１２】
本発明は前記緩衝部材について、緩衝部材本体が、外部記憶装置の上面側、側面側及び底面側を各々弾性支持する上面支持部、側面支持部及び底面支持部を有する断面コ字形状であるため、その開口を箱状の外部記憶装置の側面側から差し込めば、緩衝部材を外部記憶装置に対し簡単にそして確実に取付けることができる。
【００１３】
本発明は前記緩衝部材について、緩衝部材本体の上面支持部、側面支持部又は底面支持部の少なくとも何れか一つに、肉厚を貫通する透孔を形成するため、振動や衝撃を受け圧縮された緩衝部材本体は透孔を潰すように変形することができる。よって圧縮による緩衝効果に加え変形による緩衝効果も発揮でき、緩衝効果を高めることができる。
【００１４】
また透孔の壁面に導電接続層を設ければ、外部記憶装置の導電部と格納部の導電部とを接続する導通経路が短路化されて、導通抵抗を低くすることができる。よって外部記憶装置に帯電する静電気や電磁波ノイズを逃がし易くすることができる。また透孔を複数設ければ多くの導通経路を設けることができ、導電接続層の欠損による導通不良を起こし難くすることができる。よって外部記憶装置と格納部との電気接続の信頼性を高めることができる。
【００１５】
本発明は前記透孔を形成した緩衝部材について、透孔の孔縁を面取り形状に形成してある。直角又は鋭角の孔縁には均一な厚さの導電接続層を形成することが難しく、このような導電接続層は導通が不安定になったり緩衝部材本体の変形に伴って破損し易い。しかし本発明によれば、孔縁を面取り形状に形成してあるため、均一な厚さの導電接続層を形成し易くできる。よって導電接続層の通電は安定し緩衝部材本体が変形しても導電接続層を破損し難くでき、確実な電気的接続を実現することができる。なお、以上及び以下の本発明でいう「面取り形状」とは斜面又は曲面で形成される形状であって、要するにディッピングやスプレー塗装で導電接続層を形成する場合に塗料を塗着させやすくすることができるようにする意図で形成するものである。その製法は透孔を形成する際に金型にて成形してもよいし、透孔を形成した後に孔縁を削り加工して成形してもよい。
【００１６】
本発明は前記緩衝部材について、緩衝部材本体が箱状の外部記憶装置の角部に対して当接係止する断面Ｌ字形状であるため、振動や衝撃を受けたときに前述の断面コ字形状の緩衝部材本体に比べて周囲に変形できる空間が存在し変形し易くできる。よって緩衝効果を高めることができる。即ち断面コ字形状の緩衝部材本体では、上面支持部と底面支持部との間に挟まれる側面支持部に対し外部記憶装置や格納部が密着しており、側面支持部の周囲に変形できるような空間が無い。このため側面支持部は圧縮による緩衝効果のみを発揮する。しかし本発明によれば、上面支持部と側面支持部、又は底面支持部と側面支持部によって緩衝部材本体が構成されるため、側面支持部の周囲にも上面支持部や底面支持部と同様に変形できる空間が存在するようになる。よって断面Ｌ字形状の緩衝部材本体であれば圧縮による緩衝効果に加え変形による緩衝効果も発揮でき、緩衝効果を高めることができる。
【００１７】
本発明は前記緩衝部材について、緩衝部材本体の角部を面取り形状に形成してある。前述した透孔の孔縁と同様に、直角又は鋭角の角部には均一な厚さの導電接続層を形成することが難しく、このような導電接続層は導通が不安定になったり緩衝部材本体の変形に伴って破損し易い。しかし本発明によれば、角部を面取り形状に形成してあるため、均一な厚さの導電接続層を形成し易くできる。よって導電接続層の通電は安定し緩衝部材本体が変形しても導電接続層を破損し難くでき、確実な電気的接続を実現することができる。
【００１８】
本発明は前記緩衝部材について、導電接続層が緩衝部材本体の変形に追従する塗層であるため、緩衝部材本体が変形しても緩衝部材本体の表面から剥離し難くすることができる。よって導電接続層は破損し難く、安定な電気的接続を実現することができる。
【００１９】
また導電接続層は塗層であって、緩衝部材本体の全表面を覆う導電接続層をディッピングなどによって簡単に設けることができる。しかも導電接続層が塗層であることから、緩衝部材の形状によらず断面コ字形状や断面Ｌ字形状のような複雑な形状であっても、緩衝部材の全表面に導電接続層を簡単に設けることができる。そして緩衝部材本体は軟質のゴム状弾性体でなるため、表面がべたつき取扱い難い。しかし緩衝部材本体の全表面を導電接続層で覆えば、緩衝部材の表面は緩衝部材本体の表面のようなべたつきが無くなり滑り性をもつようになる。このため緩衝部材は取扱い易くなり、格納部に取付ける際の作業性を高めることができる。
【発明の効果】
【００２０】
本発明の緩衝部材によれば、外部記憶装置に帯電する静電気や電磁波ノイズを導電接続層を通して格納部又は格納部と導通する情報処理装置の筐体へ逃がすことができる。このため外部記憶装置の誤動作を防ぐことができ、ノートＰＣなどの情報処理装置を正確に操作できるようになる。
【００２１】
また他の導電部材を必要とせず、部品点数の増加を防止することができる。このため外部記憶装置を格納部へ簡単に組み込むことができる。
【００２２】
さらに緩衝部材本体の表面に設けてある導電接続層は、常に格納部の導電部と外部記憶装置の導電部とに電気的に接続することができるため、振動や衝撃を受けたときも安定的に電気接続することができる。
【発明を実施するための最良の形態】
【００２３】
以下、本発明の実施形態の例について図面を参照しつつ説明する。以下に説明する実施形態では、ノートＰＣ１に搭載されるハードディスク装置２に適用する例であるが、光ディスク装置など各種ディスクメディアのドライブ装置に対しても適用でき、また、これらの外部記憶装置を用いた卓上パソコンやカーオーディオ装置、カーナビゲーション装置、携帯オーディオプレーヤ、デジタルビデオカメラなどのような他の情報処理装置に対しても適用できる。なお、各実施形態で共通する構成については、同一符号を付して重複説明を省略する。
【００２４】
第１実施形態〔図１〜図３〕
第１実施形態の緩衝部材５は、緩衝部材本体６と導電接続層７とで構成されており、図１で示すように、ハードディスク装置２における筐体３の長手側面３ｃに装着して使用される。
【００２５】
緩衝部材本体６はゴム状弾性体で形成されており、本実施形態の緩衝部材本体６は具体的には熱可塑性エラストマー、より具体的にはスチレン系熱可塑性エラストマーで形成されている。この緩衝部材本体６は、ハードディスク装置２における筐体３の長手側面３ｃに沿う側面支持部６ａと、この側面支持部６ａの一端から筐体３の上面３ａへ突出する上面支持部６ｂと、同様に他端から底面３ｂへ突出する底面支持部６ｃと、によって断面コ字形状として形成されている。上面支持部６ｂ及び底面支持部６ｃの肉厚は同等であり、各々の先端は略半円形の丸味を帯びた面取り形状に形成されている。さらに長手方向の両端には、ハードディスク装置２の筐体３の短手側面３ｄに沿って屈曲する保持部６ｄが設けられている。
【００２６】
導電接続層７は導電性塗料を塗布した塗層であり、本実施形態ではポリエステル樹脂をベース材とする塗料で形成されている。そして緩衝部材本体６の略全表面を覆うように固着している。
【００２７】
ここで緩衝部材５の各構成部材の材質について説明する。なお、以下の説明は後述の各実施形態についても共通である。
【００２８】
緩衝部材本体６の「ゴム状弾性体」は、硬度がＪＩＳ  ＴＹＰＥ  Ｅ１０〜Ｅ５０の弾性体を用いており、寸法精度、耐熱性、機械的強度、耐久性、信頼性、防振特性、制御特性などの要求性能に応じて、本実施形態の緩衝部材本体６として採用する熱可塑性エラストマーの他、熱硬化性ゴム等を用いることができる。硬度がＪＩＳ  ＴＹＰＥ  Ｅ１０より低いと外部記憶装置を安定的に保持することが困難となり、Ｅ５０より高いと要求する振動減衰効果が得られず衝撃を緩衝することもできない。熱可塑性エラストマーとしては、本実施形態の緩衝部材本体６として採用するスチレン系熱可塑性エラストマーの他、オレフィン系熱可塑性エラストマー、ウレタン系熱可塑性エラストマー、エステル系熱可塑性エラストマー、塩化ビニル系熱可塑性エラストマー等を利用できる。また、熱硬化性ゴムとしては、ブチルゴム、アクリルゴム、ウレタンゴム、エチレンプロピレンゴム、フッ素ゴム、シリコーンゴム等を用いることができる。そして以上のようなゴム状弾性体については、難燃剤、可塑剤、帯電防止剤、滑剤などを添加したものでもよい。
【００２９】
導電接続層７は緩衝部材本体６に接着し、緩衝部材本体６の変形に追従する樹脂をベース材とすることが好ましい。本実施形態で採用するポリエステル樹脂の他、ポリウレタン樹脂、ポリエーテル樹脂などを用いることができる。これら樹脂をベース材として、ニッケル粒子、銅粒子、銀粒子、カーボンブラックなどの導電性粒子が均一分散し、導電性を高めている。なお、本実施形態では導電塗料で導電接続層７を形成しているが、塗料のベース材となる樹脂は、ガラス転移温度が４０℃以下のものを用いると緩衝部材本体６の変形に対する追従性が高まる。
【００３０】
以上のような緩衝部材５を製造するには、先ず射出成形にてスチレン系熱可塑性エラストマーでなる緩衝部材本体６を成形する。次にこの緩衝部材本体６をポリエステル樹脂をベース材とした導電性塗料にディッピングして緩衝部材本体６の略全表面を覆うように導電性塗料を塗布した後、塗着した導電性塗料を硬化して導電接続層７を形成し、緩衝部材５を得ることができる。なお導電接続層７を緩衝部材本体６に形成する方法としては前述のディッピングのほかにもスプレー塗装などが利用できる。
【００３１】
次に第１実施形態の緩衝部材５をハードディスク装置２に装着し格納部１ａに収納した取付構造の実施形態を説明する。ハードディスク装置２の両長手側面３ｃ，３ｃに、断面コ字形状の緩衝部材５，５を開口側から差し込み係合させて、緩衝部材５，５を装着する。その後このハードディスク装置２をノートＰＣ１の格納部１ａに収納する。このようにしてハードディスク装置２は格納部１ａに内蔵され、緩衝部材５，５は格納部１ａの内部でハードディスク装置２を弾性支持している。
【００３２】
次に本実施形態の緩衝部材５の作用・効果を説明する。
【００３３】
緩衝部材５によれば、ハードディスク装置２と格納部１ａに導電接続層７が接触しているため、ハードディスク装置２に帯電する静電気や電磁波ノイズを導電接続層７を通して格納部１ａ又は格納部１ａと導通するノートＰＣ１の筐体へ逃がすことができる。よってハードディスク装置２の誤動作を防ぐことができ、ノートＰＣ１を正確に操作できるようになる。
【００３４】
また緩衝部材本体６の表面に設けてある導電接続層７でハードディスク装置２と格納部１ａを導通接続しているため、別途導電部材を必要とせず、部品点数の増加を防止することができる。よってハードディスク装置２を格納部１ａへ簡単に組み込むことができる。
【００３５】
導電接続層７は、振動や衝撃を受けてハードディスク装置２が格納部１ａ内で変位しても常にハードディスク装置２と格納部１ａとに電気的に接続することができる。よって振動や衝撃を受けたときも安定的に電気接続することができる。
【００３６】
緩衝部材５は断面コ字形状であるため、その開口を箱状のハードディスク装置２の側面側から差し込めば、緩衝部材５をハードディスク装置２に対し簡単にそして確実に取付けることができる。
【００３７】
上面支持部６ｂ及び底面支持部６ｃの先端が略半円形の丸味を帯びた面取り形状に形成されているため、ディッピングでも均一な厚さの導電接続層７を形成し易くできる。よって導電接続層７の通電は安定し緩衝部材本体６が変形しても導電接続層７を破損し難くでき、確実な電気的接続を実現することができる。
【００３８】
導電接続層７が緩衝部材本体６の変形に追従するため、緩衝部材本体６が変形しても緩衝部材本体６の表面から剥離し難くすることができる。よって導電接続層７は破損し難く、安定な電気的接続を実現することができる。
【００３９】
緩衝部材本体６の略全表面を覆うように導電接続層７が固着しているため、緩衝部材５は緩衝部材本体６のべたつきが無くなり滑り性をもたせることができる。よって緩衝部材５は取扱い易くなり、格納部１ａに取付ける際の作業性を高めることができる。
【００４０】
第２実施形態〔図４，図５〕
第２実施形態の緩衝部材８が、第１実施形態の緩衝部材５と異なるのは、緩衝部材本体９と、導電接続層１０の構成である。残余の構成及びその作用と効果は第１実施形態と同じである。
【００４１】
緩衝部材本体９は、第１実施形態の緩衝部材本体６と同様にスチレン系熱可塑性エラストマーのゴム状弾性体でなり、側面支持部９ａ、上面支持部９ｂ及び底面支持部９ｃから構成される断面コ字形状である。そして長手方向の両端にも、ハードディスク装置２の筐体３の短手側面３ｄに沿って屈曲する保持部９ｄが設けられている。しかし第２実施形態では側面支持部９ａに肉厚を貫通する透孔９ｅが５つ形成してある。この透孔９ｅの孔縁は斜面を含む丸味を帯びた面取り形状に形成されている（図５）。
【００４２】
導電接続層１０は、第１実施形態の導電接続層７と同様にポリエステル樹脂をベース材とした導電性塗料による塗層である。そしてこの導電接続層１０は緩衝部材本体６の略全表面を覆っており、透孔９ｅの孔壁面も含めて固着している。
【００４３】
以上のような緩衝部材８を製造するには第１実施形態の緩衝部材５と同様に、先ず射出成形にて緩衝部材本体９を成形し、このとき透孔９ｅも同時に形成する。次にこの緩衝部材本体９を導電性塗料にディッピングして緩衝部材本体９の略全表面を覆うように導電性塗料を塗布した後、塗着した導電性塗料を硬化して導電接続層１０を形成し、緩衝部材８を得ることができる。
【００４４】
次に第２実施形態の緩衝部材８をハードディスク装置２に装着し格納部１ａに収納した取付構造の実施形態を説明する。第１実施形態の緩衝部材５と同様に、ハードディスク装置２の両長手側面３ｃ，３ｃに、断面コ字形状の緩衝部材８，８を開口側から差し込み係合させて装着する。その後このハードディスク装置２をノートＰＣ１の格納部１ａに収納する。このようにしてハードディスク装置２は格納部１ａに内蔵され、緩衝部材８，８は格納部１ａの内部でハードディスク装置２を弾性支持している。
【００４５】
第２実施形態の緩衝部材８は、第１実施形態の緩衝部材５と同様の作用と効果を発揮するほか、さらに次の作用・効果を発揮する。
【００４６】
緩衝部材８によれば、振動や衝撃を受け圧縮された緩衝部材本体９は透孔９ｅを潰すように変形することができる。よって圧縮による緩衝効果に加え変形による緩衝効果も発揮でき、緩衝効果を高めることができる。
【００４７】
透孔９ｅの孔壁面にも導電接続層１０を固着したため、ハードディスク装置２と格納部１ａとを接続する導通経路が短路化されて、導通抵抗を低くすることができる。よってハードディスク装置２に帯電する静電気や電磁波ノイズを逃がし易くすることができる。また透孔９ｅを５つ形成したため短路化した導通経路が複数になり、導電接続層１０の欠損による導通不良を起こし難くすることができる。よってハードディスク装置２と格納部１ａとの電気接続の信頼性を高めることができる。
【００４８】
第２実施形態の変形例
第２実施形態の緩衝部材８では、透孔９ｅを側面支持部９ａに設ける例を示したが、上面支持部９ｂや底面支持部９ｃに設けることも可能である。このような変形例においても第２実施形態と同様の作用・効果を発揮することができる。
【００４９】
第３実施形態〔図６〜図８〕
第３実施形態の緩衝部材１１が、第１実施形態の緩衝部材５と異なるのは、緩衝部材本体１２と、導電接続層１３の構成である。残余の構成及びその作用と効果は第１実施形態と同じである。
【００５０】
緩衝部材本体１２は第１実施形態の緩衝部材本体６と同様にスチレン系熱可塑性エラストマーのゴム状弾性体で形成されている。しかし断面Ｌ字形状をしており、ハードディスク装置２の角部に対して当接係止する。つまり緩衝部材本体１２は、筐体３の長手側面３ｃと上面３ａで構成される角部に対しては、側面支持部１２ａと上面支持部１２ｂで構成されており、筐体３の長手側面３ｃと底面３ｂで構成される角部に対しては、側面支持部１２ａと底面支持部１２ｃで構成されている。そして側面支持部１２ａ、上面支持部１２ｂ及び底面支持部１２ｃの先端は略半円形の丸味を帯びた面取り形状に形成されている。さらに各々の緩衝部材本体１２における長手方向の両端には、ハードディスク装置２の筐体３の短手側面３ｄに沿って屈曲する保持部１２ｄが設けられている。
【００５１】
導電接続層１３は第１実施形態の導電接続層７と同様にポリエステル樹脂をベース材とした導電性塗料による塗層であり、緩衝部材本体１２の略全表面を覆うように固着している。
【００５２】
以上のような緩衝部材１１を製造するには第１実施形態の緩衝部材５と同様に、先ず射出成形にて緩衝部材本体１２を成形する。次にこの緩衝部材本体１２を導電性塗料にディッピングして緩衝部材本体１２の略全表面を覆うように導電性塗料を塗布した後、塗着した導電性塗料を硬化して導電接続層１３を形成し、緩衝部材１１を得ることができる。
【００５３】
次に第２実施形態の緩衝部材１１をハードディスク装置２に装着し格納部１ａに収納した取付構造の実施形態を説明する。ハードディスク装置２の長手側面３ｃと上面３ａで構成される２つの角部にに対し断面Ｌ字形状の緩衝部材１１，１１を係止する。さらに長手側面３ｃと底面３ｂで構成される２つの角部にに対し断面Ｌ字形状の緩衝部材１１，１１を係止する。その後このハードディスク装置２をノートＰＣ１の格納部１ａに収納する。このようにしてハードディスク装置２は格納部１ａに内蔵され、４つの緩衝部材１１は格納部１ａの内部でハードディスク装置２を弾性支持している。
【００５４】
第３実施形態の緩衝部材１１は、第１実施形態の緩衝部材５と同様の作用と効果を発揮するほか、さらに次の作用・効果を発揮する。
【００５５】
緩衝部材１１によれば、側面支持部１２ａと上面支持部１２ｂ、又は側面支持部１２ａと底面支持部１２ｃによって構成されるため、側面支持部１２ａの周囲にも上面支持部１２ｂや底面支持部１２ｃと同様に変形できる空間が存在するようになる。よって断面Ｌ字形状の緩衝部材１１であれば圧縮による緩衝効果に加え変形による緩衝効果も発揮でき、緩衝効果を高めることができる。
【００５６】
各実施形態に共通の変形例
前述の各実施形態では、緩衝部材５，８，１１の長手方向の端部に保持部６ｄ，９ｄ１２ｄを設ける例を示したが、切り落とし形状とすることも可能である。
【実施例】
【００５７】
次に実施例を示して本発明の緩衝効果を説明するが、本発明は以下の実施例に限定されるものではない。
【００５８】
１．緩衝部材の製造
【００５９】
実施例１
先ず射出成形にてスチレン系熱可塑性エラストマーでなる緩衝部材本体６を成形した。この緩衝部材本体６の形状は、ハードディスク装置２における筐体３の長手側面３ｃに沿う側面支持部６ａと、この側面支持部６ａの一端から筐体３の上面３ａへ突出する上面支持部６ｂと、同様に他端から底面３ｂへ突出する底面支持部６ｃと、によって断面コ字形状に構成されている。さらに長手方向の両端には、ハードディスク装置２の筐体３の短手側面３ｄに沿って屈曲する保持部６ｄが設けられている。次にこの緩衝部材本体６をポリエステル樹脂をベース材とし銀フィラーを配合した導電性塗料にディッピングして緩衝部材本体６の全表面を覆うように導電性塗料を塗布した後、塗着した導電性塗料を硬化して導電接続層７を形成し、緩衝部材５を得た。
【００６０】
実施例２
実施例１の緩衝部材本体６と同様に、スチレン系熱可塑性エラストマーのゴム状弾性体でなり、側面支持部９ａ、上面支持部９ｂ、底面支持部９ｃ及び保持部９ｄから構成される断面コ字形状の緩衝部材本体９を成形した。しかし実施例２では側面支持部９ａに肉厚を貫通する透孔９ｅが５つ形成してある。次に実施例１と同様に、この緩衝部材本体９をポリエステル樹脂をベース材とし銀フィラーを配合した導電性塗料にディッピングして、透孔９ｅの孔壁面も含めて緩衝部材本体９の全表面を覆うように導電性塗料を塗布した後、塗着した導電性塗料を硬化して導電接続層１０を形成し、緩衝部材８を得た。
【００６１】
２．緩衝部材の衝撃吸収評価
【００６２】
緩衝部材の衝撃吸収評価は次の要領で行った。まず各実施例の緩衝部材５，８をハードディスク装置（ＨＤＤ）２の筐体３の長手側面３ｃに装着するとともに加速度ピックアップを取付けた。次いで緩衝部材５，８を装着したＨＤＤ２をノートＰＣ１の格納部１ａ及び蓋１ｂに見立てたＡＢＳ樹脂製の箱状治具に収容した。そしてこの箱状治具を落下試験機のアームに取付け、高さ１ｍから箱状治具の姿勢をアームで維持したままコンクリートの衝突面に鉛直落下させ、衝突時に発生する衝撃値を測定した。ここで落下試験機のアームは、衝突直前までは箱状治具の姿勢を固定することができ、衝突時には切り離すことができるものであり、落下中の姿勢の変化によって箱状治具が角から衝突することを防ぐことができるものである。その結果を表１に示す。なお、Ｘ方向は筐体３の短手側面３ｄ側が衝突する落下方向を示し、Ｙ方向は筐体３の長手側面３ｃ側が衝突する落下方向を示し、Ｚ方向は上面３ａ側が衝突する落下方向を示す。
【００６３】
側面支持部９ａに透孔９ｅを設けた実施例２の緩衝部材８は、実施例１の緩衝部材５に比べ側面支持部９ａが圧縮されるＹ方向の衝撃値を小さく抑えていることが分かる。これは緩衝部材８がＹ方向の衝撃を受けたときに、圧縮された緩衝部材本体９が透孔９ｅを潰すように変形し、圧縮による緩衝効果に加え変形による緩衝効果も発揮したものと考えられる。
【００６４】
【表１】
2008027562.tif 000003
【図面の簡単な説明】
【００６５】
【図１】第１実施形態による緩衝部材のハードディスク装置への装着状態を示す外観斜視図。
【図２】第１実施形態による緩衝部材のハードディスク装置への装着状態を示す正面図。
【図３】第１実施形態による緩衝部材をハードディスク装置に装着し格納部に収納した取付構造を模式的に示す内部説明図。
【図４】第２実施形態による緩衝部材を示す斜視図。
【図５】第２実施形態による緩衝部材をハードディスク装置に装着し格納部に収納した取付構造を模式的に示す内部説明図。
【図６】第３実施形態による緩衝部材のハードディスク装置への装着状態を示す外観斜視図。
【図７】第３実施形態による緩衝部材をハードディスク装置に装着した状態の正面図。
【図８】第３実施形態による緩衝部材をハードディスク装置に装着し格納部に収納した取付構造を模式的に示す内部説明図。
【図９】一従来例による緩衝部材の取付状態を示すハードディスク装置とノートＰＣの外観斜視図。
【図１０】一従来例による緩衝部材をハードディスク装置に装着し格納部に収納した取付構造を模式的に示す内部説明図。
【符号の説明】
【００６６】
１    ノートＰＣ（情報処理装置）
１ａ  格納部
１ｂ  蓋
１ｃ  貫通孔
２    ハードディスク装置（外部記憶装置）
３    筐体
３ａ  上面
３ｂ  底面
３ｃ  長手側面
３ｄ  短手側面
４    緩衝部材（従来例）
４ａ  側面支持部
４ｂ  上面支持部
４ｃ  底面支持部
５    緩衝部材（第１実施形態）
６    緩衝部材本体
６ａ  側面支持部
６ｂ  上面支持部
６ｃ  底面支持部
６ｄ  保持部
７    導電接続層
８    緩衝部材（第２実施形態）
９    緩衝部材本体
９ａ  側面支持部
９ｂ  上面支持部
９ｃ  底面支持部
９ｄ  保持部
９ｅ  透孔
１０    導電接続層
１１    緩衝部材（第３実施形態）
１２    緩衝部材本体
１２ａ  側面支持部
１２ｂ  上面支持部
１２ｃ  底面支持部
１２ｄ  保持部
１３    導電接続層
【図１】
2008027562.tif 000004
【図２】
2008027562.tif 000005
【図３】
2008027562.tif 000006
【図４】
2008027562.tif 000007
【図５】
2008027562.tif 000008
【図６】
2008027562.tif 000009
【図７】
2008027562.tif 000010
【図８】
2008027562.tif 000011
【図９】
2008027562.tif 000012
【図１０】
2008027562.tif 000013